【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
クライアント装置及びデバイス装置間におけるデータ転送を制御するデータ転送処理装置であって、
前記デバイス装置の状態に関する状態情報を取得する状態情報取得手段と、
前記状態情報取得手段で取得した前記状態情報に応じたメッセージを前記デバイス装置から取得するメッセージ取得手段と、
前記メッセージ取得手段で取得したメッセージと該メッセージの送信先を示す送信先情報とに基づき送信データを作成する送信データ作成手段と、
前記送信データ作成手段で作成した送信データを電子メールとして送信する電子メール送信手段とを有することを特徴とするデータ転送処理装置。
【請求項２】
前記電子メール送信手段は、前記電子メールを通信媒体上に接続されたメールサーバ装置を介して前記クライアント装置に送信することを特徴とする請求項１記載のデータ転送処理装置。
【請求項３】
前記デバイス装置の状態情報に応じたメッセージを生成するメッセージ生成手段を有し、
前記メッセージ取得手段によりメッセージが取得されなかった場合、前記送信データ作成手段は、前記メッセージ生成手段により生成されたメッセージを代替メッセージとして使用して送信データを作成することを特徴とする請求項１或いは２に記載のデータ転送処理装置。
【請求項４】
クライアント装置及びデバイス装置間におけるデータ転送を制御するデータ転送処理装置であって、
前記デバイス装置の状態に関する状態情報に応じたメッセージを含む電子メールを送信するための送信設定情報を保持する送信設定情報保持手段と、
前記クライアント装置上で表示される前記送信設定情報の設定画面を表すデータを生成するデータ生成手段と、
前記データ生成手段で生成した前記データを前記クライアント装置に送信するデータ送信手段とを有することを特徴とするデータ転送処理装置。
【請求項５】
前記クライアント装置から送信される通知設定情報を取得する通知設定情報取得手段と、
前記通知設定情報取得手段で取得した前記通知設定情報を保持する通知設定情報保持手段と、
前記通知設定情報に基づき、前記デバイス装置に対し前記デバイス装置の状態の通知条件を設定する通知条件設定手段とを有することを特徴とする請求項４記載のデータ転送処理装置。
【請求項６】
前記デバイス装置は、記録媒体上に画像を形成する画像形成機能を有し、
前記状態情報とは、前記デバイス装置で用いる消耗品の補充や消耗部品の交換に関する情報、或いは前記デバイス装置の処理状況を示す情報を含むものであり、
前記データ転送処理装置は、前記デバイス装置が備えることを特徴とする請求項１乃至５の何れかに記載のデータ転送処理装置。
【請求項７】
前記設定画面では、電子メールを通知する条件である通知条件と、電子メールの送信先を示す送信先情報との組を前記送信設定情報として設定可能であることを特徴とする請求項４或いは５に記載のデータ転送処理装置。
【請求項８】
クライアント装置と通信可能なデバイス装置であって、
デバイス装置の状態に関する状態情報に応じたメッセージを含む電子メールを送信するための送信設定情報を保持する送信設定情報保持手段と、
前記クライアント装置上で表示される前記送信設定情報の設定画面を表すデータを生成するデータ生成手段と、
前記データ生成手段で生成した前記データを前記クライアント装置に送信するデータ送信手段とを有することを特徴とするデバイス装置。
【請求項９】
前記設定画面では、送信設定情報として、電子メールを通知する条件である通知条件と、電子メールの送信先を示す送信先情報との組を前記送信設定情報として設定可能であることを特徴とする請求項８に記載のデバイス装置。
【請求項１０】
クライアント装置及びデバイス装置が通信可能に接続されたネットワークシステムにおけるデータ転送方法であって、
前記デバイス装置は、前記デバイス装置の状態に関する状態情報に応じたメッセージを含む電子メールを送信するための送信設定情報を保持し、前記クライアント装置上で表示される前記送信設定情報の設定画面を表すデータを生成し、生成した前記データを前記クライアント装置に送信することを特徴とするデータ転送方法。
【請求項１１】
クライアント装置及びデバイス装置間におけるデータ転送を制御するデータ転送処理装置で実行されるデータ転送方法であって、
前記デバイス装置の状態に関する状態情報を取得する状態情報取得ステップと、
前記状態情報取得ステップで取得した前記状態情報に応じたメッセージを前記デバイス装置から取得するメッセージ取得ステップと、
前記メッセージと送信先情報に基づき送信データを作成する送信データ作成ステップと、
前記送信データ作成ステップで作成した前記送信データを電子メールとして送信する電子メール送信ステップとを有することを特徴とするデータ転送方法。
【請求項１２】
クライアント装置及びデバイス装置間におけるデータ転送を制御するデータ転送処理装置で実行されるデータ転送方法であって、
前記クライアント装置上で表示される、前記デバイス装置の状態に関する状態情報に応じたメッセージを含む電子メールを送信するための送信設定情報の設定画面を表すデータを生成するデータ生成ステップと、
前記データ生成ステップで生成した前記データを前記クライアント装置に送信するデータ送信ステップとを有することを特徴とするデータ転送方法。
【請求項１３】
クライアント装置及びデバイス装置間におけるデータ転送を制御するデータ転送処理装置であって、
前記デバイス装置の状態に関する状態情報を取得する状態情報取得手段と、
前記状態情報取得手段で取得した前記状態情報に応じたメッセージを前記デバイス装置から取得するメッセージ取得手段と、
前記メッセージ取得手段で取得したメッセージと該メッセージの送信先を示す送信先情報とに基づき送信データを作成する送信データ作成手段と、
前記送信データ作成手段で作成した前記送信データを前記クライアント装置に送信する送信手段とを有することを特徴とするデータ転送処理装置。
【請求項１４】
クライアント装置及びデバイス装置間におけるデータ転送を制御するデータ転送処理装置であって、
前記デバイス装置の状態に関する状態情報に応じたメッセージを含む送信データを前記クライアント装置に送信するための送信設定情報を保持する送信設定情報保持手段と、
前記クライアント装置上で表示される前記送信設定情報の設定画面を表すデータを生成するデータ生成手段と、
前記データ生成手段で生成した前記データを前記クライアント装置に送信するデータ送信手段とを有することを特徴とするデータ転送処理装置。
【請求項１５】
クライアント装置及びデバイス装置間におけるデータ転送を制御するデータ転送処理装置で実行されるデータ転送方法であって、
前記デバイス装置の状態に関する状態情報を取得する状態情報取得ステップと、
前記状態情報取得ステップで取得した前記状態情報に応じたメッセージを前記デバイス装置から取得するメッセージ取得ステップと、
前記メッセージ取得ステップで取得したメッセージと該メッセージの送信先を示す送信先情報とに基づき送信データを作成する送信データ作成ステップと、
前記送信データ作成ステップで作成した前記送信データを前記クライアント装置に送信する送信ステップとを有することを特徴とするデータ転送方法。
【手続補正２】
【補正対象書類名】明細書
【補正対象項目名】００１７
【補正方法】変更
【補正の内容】
【００１７】
請求項７記載の発明は、前記設定画面では、電子メールを通知する条件である通知条件と、電子メールの送信先を示す送信先情報との組を前記送信設定情報として設定可能であることを特徴とする。
【手続補正３】
【補正対象書類名】明細書
【補正対象項目名】００１９
【補正方法】変更
【補正の内容】
【００１９】
請求項９記載の発明は、前記設定画面では、送信設定情報として、電子メールを通知する条件である通知条件と、電子メールの送信先を示す送信先情報との組を前記送信設定情報として設定可能であることを特徴とする。